(57)【要約】【課題】改善されたパターンデータの認識装置及び方法を提供する。【解決手段】移動通信端末のカメラにより感知されたパターンデータから縁部を一層明確に認識可能にする高周波成分を、通常パターンデータの認識に用いられるＹデータと共に抽出している。そして、上記高周波成分と上記Ｙデータに既定の重み付け値を与え、既定の重み付け値が与えられた上記高周波成分とＹデータを用いて入力データを生成する。これにより、入力データの縁部が一層明確になり、その結果、上記パターン画像の認識率を一層高めることが可能になる。【選択図】図４
2006236316.tif 000002
【特許請求の範囲】
【請求項１】
パターンデータの認識機能を有する移動通信端末におけるパターンデータの認識装置であって、
パターンデータの入力が感知されると、前記パターンデータからＹデータと高周波成分データを認識し抽出するパターンデータ感知センサーと、
前記抽出されたＹデータに既定の第１の重み付け値を与え、前記高周波成分データに第２の重み付け値を与え、前記第１の重み付け値の与えられたＹデータと前記第２の重み付け値の与えられた高周波成分データに基づいて前記パターンデータを認識するための入力データを生成するパターンデータ認識部と、
前記抽出されたＹデータと前記高周波成分データを前記パターンデータ認識部に入力するように前記パターンデータ感知センサーを制御し、且つ、前記入力データを取り込んで前記パターンデータによる画像を認識する制御部と、を備えることを特徴とする改善されたパターンデータの認識装置。
【請求項２】
前記高周波成分データが、前記パターンデータから抽出されるＣｂデータであることを特徴とする請求項１記載の改善されたパターンデータの認識装置。
【請求項３】
前記パターンデータ感知センサーが、パターンデータの入力が感知されると、前記パターンデータを認識する認識解像度を下げて前記Ｙデータと前記高周波成分データを抽出することを特徴とする請求項１記載の改善されたパターンデータの認識装置。
【請求項４】
パターンデータの認識機能を有する移動通信端末におけるパターンデータの認識装置であって、
パターンデータの入力が感知されると、前記パターンデータを認識する認識解像度を下げて前記パターンデータからＹデータを抽出するパターンデータ感知センサーと、
前記抽出されたＹデータに基づいて前記パターンデータを認識するための入力データを生成するパターンデータ認識部と、
前記抽出されたＹデータを前記パターンデータ認識部に入力するように前記パターンデータ感知センサーを制御し、且つ、前記入力データを取り込んで前記パターンデータによる画像を認識する制御部と、を備えることを特徴とする改善されたパターンデータの認識装置。
【請求項５】
パターンデータの認識機能を有する移動通信端末におけるパターンデータの認識方法であって、
パターンデータの入力を感知するパターンデータ入力の感知段階と、
前記パターンデータからＹデータと高周波成分データを認識し抽出する認識データの抽出段階と、
前記Ｙデータと前記高周波データにそれぞれ既定の重み付け値を与え、重み付け値の与えられた前記Ｙデータと前記高周波データから前記パターンデータの認識のための入力データを生成する入力データの生成段階と、
前記生成された入力データから前記パターンデータによる画像を認識するパターンデータの認識段階と、を含むことを特徴とする改善されたパターンデータの認識方法。
【請求項６】
前記入力データ生成段階においては、前記Ｙデータと前記高周波成分データを下記式(1)に代入してそれぞれ重み付け値を与え、前記入力データを生成することを特徴とする請求項５記載の改善されたパターンデータの認識方法。
【数１】
2006236316.tif 000004
（ここで、前記第３の重み付け値は、前記Ｙデータに与えられる既定の重み付け値であり、前記第４の重み付け値は、前記高周波成分データに与えられる既定の重み付け値であり、前記補償値は、前記入力データを認識可能な有効値の範囲内に抽出可能にするためにこれを補償するための値であり、前記第５の重み付け値は、前記Ｙデータと前記Ｃｂデータに対する重み付け値の平均を求めるための定数である。）
【請求項７】
前記認識データの抽出段階が、パターンデータの入力が感知されると、前記パターンデータを認識する認識解像度を下げる認識解像度の低下段階をさらに含むことを特徴とする請求項５記載の改善されたパターンデータの認識方法。
【請求項８】
パターンデータの認識機能を有する移動通信端末におけるパターンデータの認識方法であって、
パターンデータの入力を感知するパターンデータ入力の感知段階と、
パターンデータの入力が感知されると、前記パターンデータを認識する認識解像度を下げて前記パターンデータからＹデータを認識し抽出する認識データの抽出段階と、
前記Ｙデータから前記パターンデータの認識のための入力データを生成する入力データの生成段階と、
前記生成された入力データから前記パターンデータによる画像を認識するパターンデータの認識段階と、を含むことを特徴とする改善されたパターンデータの認識方法。
【発明の詳細な説明】
【技術分野】
【０００１】
本発明は移動通信端末に係り、詳しくは、移動通信端末におけるホットコード・サービスに関する。
【背景技術】
【０００２】
通常、ホットコード・サービス（Hot Code Service）とは、ユーザが自分の移動通信端末に設けられているカメラを新聞、雑誌、チラシ紙などにプリントされているバーコードに当てるだけで、該当する無線インターネットコンテンツあるいは買い物コンテンツへ直ちに移動できるサービスを言う。従って、この種のホットコード・サービスの場合、特定のコンテンツ、例えば、着メロあるいはＭＰ３をダウンロードするための無線インターネットサービスへの接続プロセスを省き、ユーザが該当コンテンツを即座に利用できるようにすることから、ユーザにとっては不要な通信代の無駄遣いを避けることができ、しかも、ユーザは、簡単かつ高速にて目的とするコンテンツを用いることができる。
【０００３】
このようなホットコード・サービスは、新聞あるいは雑誌などに付けられているホットコード若しくはバーコードを感知し、これを画像として認識し、認識された画像に基づいてパターンを認識することにより提供可能になる。このため、このようなホットコード・サービスの提供方法においては、ホットコード若しくはバーコードを移動通信端末に認識させる技術が中核技術とされている。図１は、このようなホットコード若しくはバーコードを認識する通常の方法を示している。
【０００４】
図１に示すように、ユーザが通常のホットコード若しくはバーコードのように単色よりなるデータ（以下、パターンデータと称する）を認識したい場合、ユーザは、このパターンデータに移動通信端末のカメラを当て、これにより、ステップ１００で、移動通信端末の制御部は現在、カメラにパターンデータの画像が入力されていることを感知する。そして、ステップ１０２で、移動通信端末における制御部は感知されたパターンデータのＲＧＢデータをＹデータ、Ｃｂデータ及びＣｒデータとして認識し、次いでステップ１０４に進み、上記ステップ１０２において認識されたデータのうちＹデータだけを抽出する。ここで、Ｙデータとは、パターンの認識に用いられる画像の明るさデータ、すなわち、黒白系のデータをいい、Ｃｂデータとは、上記パターンデータに含まれている高周波数のデータ成分特性を有する青色データをいう。また、Ｃｒデータとは、上記パターンデータに含まれている低周波数のデータ成分特性を有する赤色データをいう。このように、通常のパターンデータの画像認識方法においては、上記抽出されたＹデータ、Ｃｂデータ及びＣｒデータのうちＹデータだけを用いて上記パターンデータの画像を認識し、ユーザは、その認識されたパターン画像による動作、すなわち、特定の無線インターネットコンテンツあるいは買い物コンテンツを利用できるようになっている。
【発明の開示】
【発明が解決しようとする課題】
【０００５】
しかしながら、上記のごとき通常のパターンデータの画像認識方法は、単なるパターンデータの明暗成分、すなわち、Ｙデータだけをもってパターンデータの認識を行うため、決してその認識率が良いものではなかった。図２Ａは、通常のホットコードの例を示し、図２Ｂは、通常のパターンデータの画像認識方法により図２Ａのホットコードが認識された画像データの例を示している。
図２Ａと図２Ｂに示すように、上記のごとき通常のパターンデータの画像認識方法においては、パターンデータの縁部の区切りがほとんどつかないほど、認識率が大幅に低下していることが分かる。この場合、パターンデータの構造があまり複雑ではない場合は、通常のパターンデータの認識方法によっても簡単に認識を行うことができる。ところが、現在のインターネットサービスの発達には目を見張るものがあり、これに伴い、無線コンテンツの種別と個数が日々増えている一方である。このような傾向からして、パターンデータの構造のさらなる複雑化はこれからもずっと続くに違いない。これにより、上述したように、現在のパターンデータの認識方法よりも認識率が一段と高いパターンデータの認識方法及び手段が早急に望まれる。
【０００６】
そこで、本発明の目的は、通常のパターンデータの認識方法よりも認識率が一段と高い、改善されたパターンデータの認識のための装置及び方法を提供するところにある。
【課題を解決するための手段】
【０００７】
上記目的を達成するための本発明の装置は、パターンデータの入力が感知されると、上記パターンデータからＹデータと高周波成分データを認識し抽出するパターンデータ感知センサーと、上記抽出されたＹデータに既定の第１の重み付け値を与え、上記高周波成分データに第２の重み付け値を与え、上記第１の重み付け値の与えられたＹデータと上記第２の重み付け値の与えられた高周波成分データに基づいて上記パターンデータを認識するための入力データを生成するパターンデータ認識部と、上記抽出されたＹデータと上記高周波成分データを上記パターンデータ認識部に入力するように上記パターンデータ感知センサーを制御し、且つ、上記入力データを取り込んで上記パターンデータによる画像を認識する制御部と、を備える。
【０００８】
上記目的を達成するための他の本発明の装置は、パターンデータの入力が感知されると、前記パターンデータを認識する認識解像度を下げて前記パターンデータからＹデータを抽出するパターンデータ感知センサーと、前記抽出されたＹデータに基づいて前記パターンデータを認識するための入力データを生成するパターンデータ認識部と、前記抽出されたＹデータを前記パターンデータ認識部に入力するように前記パターンデータ感知センサーを制御し、且つ、前記入力データを取り込んで前記パターンデータによる画像を認識する制御部と、を備える。
【０００９】
また、上記の目的を達成するための本発明の方法は、パターンデータの入力を感知するパターンデータ入力の感知段階と、上記パターンデータからＹデータと高周波成分データを認識し抽出する認識データの抽出段階と、上記Ｙデータと上記高周波データにそれぞれ既定の重み付け値を与え、重み付け値の与えられた上記Ｙデータと上記高周波データから上記パターンデータの認識のための入力データを生成する入力データの生成段階と、上記生成された入力データから上記パターンデータによる画像を認識するパターンデータの認識段階と、を含む。
【００１０】
上記の目的を達成するための他の本発明の方法は、パターンデータの入力を感知するパターンデータ入力の感知段階と、パターンデータの入力が感知されると、前記パターンデータを認識する認識解像度を下げて前記パターンデータからＹデータを認識し抽出する認識データの抽出段階と、前記Ｙデータから前記パターンデータの認識のための入力データを生成する入力データの生成段階と、前記生成された入力データから前記パターンデータによる画像を認識するパターンデータの認識段階と、を含む。
【発明の効果】
【００１１】
本発明においては、移動通信端末のカメラにより感知されたパターンデータから縁部を一層明確に認識可能にする高周波成分を、通常パターンデータの認識に用いられるＹデータと共に抽出している。そして、上記高周波成分と上記Ｙデータに既定の重み付け値を与え、既定の重み付け値が与えられた上記高周波成分とＹデータを用いて入力データを生成する。これにより、入力データの縁部が一層明確になり、その結果、上記パターン画像の認識率を一層高めることが可能になる。
【発明を実施するための最良の形態】
【００１２】
以下、添付の図面に基づき、本発明の好適な実施の形態について詳述する。図中、できる限り同じ構成要素には同じ参照符号が付されていることに留意しなければならない。なお、下記の説明及び添付の図面において、本発明の要旨を余計に曖昧にする恐れのある公知の技術及び構成についての詳細な説明は省かれている。
【００１３】
先ず、本発明の完全な理解を助けるために、本発明の基本的な原理を説明すると、本発明においては、縁部を一層明確に認識可能にするために、感知されたパターンデータから高周波成分を抽出し、これを上記Ｙデータに含ませて上記パターンデータを認識することにより、一層高いパターンデータの認識率を得ている。図３は、本発明の実施の形態による移動通信端末のブロック構成図である。
図３に示すように、本発明の実施の形態による移動通信端末によれば、メモリ２０２と、キー入力部２０４と、表示部２０６と、ベースバンド処理部２０８と、コーデック（ＣＯＤＥＣ：Coder-Decoder）２１２と、カメラ２１６、及びパターンデータ認識部２２０が制御部２００に接続されている。ここで、制御部２００は、電話による通話やデータ通信、無線インターネットの接続のためのプロトコルに基づいてボイス信号及びデータの処理を行い、移動通信端末の各部を制御する。そして、制御部２００は、キー入力部２０４を介してユーザによるキー入力が行われると、これを受けて表示部２０６を制御し、ユーザのキー入力による画像情報を生成して提供する。さらに、制御部２００は、カメラ２１６によりパターンデータが感知されると、これをＹデータ、Ｃｂデータ、及びＣｒデータとして認識し、認識されたデータのうち明暗成分としてのＹデータと高周波成分としてのＣｂデータが抽出されるように、上記カメラ２１６に設けられているパターンデータ感知センサー２１８を制御する。さらに、制御部２００は、上記パターンデータ感知センサー２１８から抽出されたＹデータとＣｂデータをパターンデータ認識部２２０に入力し、且つ、既定の重み付け値を上記抽出されたＹデータとＣｂデータに与えて上記高周波成分としてのＣｂデータが含まれている入力データを生成するように上記パターンデータ認識部２２０を制御する。ここで、入力データとは、上記パターンデータに基づいて認識された画像による最終的な画像処理データを言う。
【００１４】
ここで、上記制御部２００に接続されているカメラ２１６は、ユーザのキー入力によって画像を保存する。また、カメラ２１６はパターンデータ感知センサー２１８を備えており、パターンデータが入力される場合、該当パターンデータからＹデータ、Ｃｂデータを抽出し、その抽出されたＹデータとＣｂデータを制御部２００に入力する。そして、上記制御部２００に接続されているパターンデータ認識部２２０においては、上記制御部２００からＹデータとＣｂデータを取り込み、既定の重み付け値をそれぞれのデータに与えて上記入力データを生成する。そして、パターンデータ認識部２２０は、生成された入力データを制御部２００にさらに出力する。
【００１５】
さらに、上記制御部２００に接続されているメモリ２０２は、読取り専用メモリ（ＲＯＭ：Read Only Memory）、フラッシュメモリ（Flash memory）、ランダムアクセスメモリ（ＲＡＭ：Random Access Memory）などから構成される。これらのうち、ＲＯＭは、制御部２００の処理及び制御のためのプログラムと各種の参照データを記憶している。そして、ＲＡＭは、制御部２００のワーキングメモリ（作動記憶）を与え、フラッシュメモリは、更新可能な各種の保存用データを記憶するための領域を与える。また、キー入力部２０４は、上述の如く、数字キーを含む各種のキーを備えており、ユーザによるキー入力を制御部２００に伝える。そして、ＲＦ部２１０は、基地局とＲＦ信号をやり取りする役割を果たす。すなわち、ＲＦ部２１０は、取り込んだ信号をＩＦ（Intermediate Frequency）信号に変換して上記の制御部２００に接続されているベースバンド処理部２０８に出力し、ベースバンド処理部２０８から取り込んだＩＦ信号をＲＦ信号に変換して基地局に送る。また、上記ベースバンド処理部２０８は、制御部２００とＲＦ部２１０とのインタフェースを提供するＢＢＡ（Baseband Analog ＡＳＩＣ）であって、制御部２００からのベースバンドのデジタル信号をアナログＩＦ信号に変換してＲＦ部２１０に送り、ＲＦ部２１０からのアナログＩＦ信号をベースバンドのデジタル信号に変換して制御部２００に送る。そして、制御部２００に接続されているコーデック２１２は、増幅部２１４を介してマイク及びスピーカが接続されており、マイクから取り込んだボイス信号をＰＣＭ（Pulse Code Modulation）符号化してなるボイスデータを制御部２００に出力し、制御部２００から取り込んだボイスデータをＰＣＭ復号化して増幅部２１４を介してスピーカに出力する。そして、増幅部２１４では、マイクから取り込んだボイス信号やスピーカに出力されるボイス信号を増幅するが、この際、スピーカの音量とマイクのゲインを制御部２００からの制御により調節する。
【００１６】
図４は、本発明の実施の形態によりパターンデータから画像を認識する動作プロセスを示している図である。同図に示すように、ユーザが本発明の実施の形態による移動通信端末のカメラを特定のパターンデータに当てた場合、制御部２００は、ステップ３００に進んでパターンデータの入力を感知する。次いで、ステップ３０２に進んで感知されたパターンデータを既定の認識解像度によってＹデータ、Ｃｂデータ、及びＣｒデータとして認識する。次いで、ステップ３０４に進んで上記ステップ３０２において認識されたデータからＹデータとＣｂデータを抽出する。
【００１７】
続いて、制御部２００は、ステップ３０６に進んで抽出されたＹデータとＣｂデータに既定の重み付け値を与え、上記パターンデータを認識する。上記ステップ３０６においては、下記式(2)により重み付け値を上記ＹデータとＣｂデータにそれぞれ与え、これを用いて入力データを生成する。
【００１８】
【数１】
2006236316.tif 000003
【００１９】
式(2)において、重み付け値１と２はそれぞれ、上記パターンデータの認識に際し、上記ＹデータとＣｂデータを用いて最適なパターン認識値を得るための値である。また、上記補償値とは、上記入力データを認識可能な有効値の範囲内に抽出可能にするためにこれを補償するための値を言う。そして、上記重み付け値３は、上記Ｙデータと上記Ｃｂデータに対する重み付け値の平均を求めるための定数を言う。従って、前記式(2)のような方法によりＹデータに加えて、Ｃｂデータが含まれている入力データが生成されると、制御部２００は、ステップ３０８に進み、生成された入力データに基づいて上記パターン画像を認識する。そして、認識されたパターン画像によって、該当無線インターネットコンテンツあるいは買い物コンテンツなどに直ちに移動し、ユーザをして該当コンテンツを利用できるようにする。
【００２０】
図５は、上記の本発明の実施の形態によるパターンデータの認識方法により認識されたパターンデータ画像の例を示している。図５におけるパターンデータは、上記図２Ａに示すパターンデータを認識した画像である。同図に示すように、同じ原パターンデータ、すなわち図２Ａに示すパターンデータを認識した画像であるにもかかわらず、図２Ｂにおけるパターンデータの認識画像に比べて、図５におけるパターンデータの認識画像の縁部の方が遥かにはっきりしていることが分かる。すなわち、本発明の実施の形態によるパターン画像の認識方法を用いれば、通常のパターン画像認識方法よりもパターンの認識率が顕著に増大する。
【００２１】
上述の如く、本発明においては、移動通信端末のカメラにより感知されたパターンデータから縁部を一層明確に認識可能にする高周波成分を、通常パターンデータの認識に用いられるＹデータと共に抽出している。そして、上記高周波成分と上記Ｙデータに既定の重み付け値を与え、既定の重み付け値が与えられた上記高周波成分とＹデータを用いて入力データを生成する。これにより、入力データの縁部が一層明確になり、その結果、上記パターン画像の認識率を一層高めることが可能になる。
【００２２】
以上、本発明の具体的な実施の形態について詳述したが、本発明はこれに限定されるものではなく、本発明の範囲を逸脱しない限り、各種の実施の形態が提供可能である。特に、本発明の実施の形態においては、単にパターンデータからＹデータやＣｂデータを抽出し、既定の重み付け値を与えてＣｂデータが含まれている入力データを生成しているが、上記パターンデータからＹデータあるいはＣｂデータを認識する認識解像度を調整することにより、上記パターンデータの認識率を一層高めても良いということは言うまでもない。例えば、既定の認識解像度を下げることにより、認識率を高めることができる。すなわち、既定の認識解像度が２５６レベルである場合、このような認識解像度を１２８レベルまで落とし、感知されるパターンデータを単純化させることにより、パターンデータの認識率を高めることができる。
【００２３】
図６は、上述の如く、既定の解像度を調節してパターンデータの認識率を一段と高めるための認識解像度の低下過程を示すフローチャートであり、上記図３Ａに示す段階のうち、感知されたパターンデータをＹデータ、Ｃｂデータ、及びＣｒデータとして認識するステップ３０２に含まれていることを示している。図６に示すように、本発明の実施の形態による移動通信端末の制御部２００は、上記ステップ３００においてパターンデータの入力が感知された場合、ステップ４００に進んでそのパターンデータの認識を行い、カメラ２１６のパターンデータ感知センサー２１８の認識解像度を下げる。次いで、ステップ４０２に進み、上記ステップ４００において下げられた認識解像度によってＹデータ、Ｃｂデータ、及びＣｒデータを認識する。そして、制御部２００は、Ｙデータ、Ｃｂデータ、及びＣｒデータの認識が終わると、ステップ３０４に進み、認識されたデータのうちＹデータとＣｂデータだけを抽出する。従って、図６に示す過程が上記図４におけるステップ３０２に含まれる場合、認識されたパターンデータは一層単純化し、これにより、パターンデータの認識率は一段と高くなる。なお、本発明の実施の形態においては、パターンデータの高周波成分としてのＣｂデータを用いることと、解像度を下げてＹデータとＣｂデータを抽出し、その抽出されたＹデータとＣｂデータを用いて認識率を高めることについて説明しているが、図６に示すように、解像度を下げる手法だけを用いてパターンデータの認識率を高めても良いのは言うまでもない。また、このような認識解像度を下げる過程は、本発明の実施の形態によるパターンデータの認識過程においてパターンデータが感知された場合に行われるため、当然のことながら、カメラ２１６において画像を保存するときの解像度によらずに認識解像度を一時的に下げることができ、その結果、パターンデータの認識率を高めることが可能になる。よって、本発明の真の技術的な範囲は上述の実施の形態によって定められるものでなく、特許請求の範囲とその等価物によって定められるべきである、
【図面の簡単な説明】
【００２４】
【図１】通常の移動通信端末において感知されたホットコードから画像を認識する動作プロセスを示すフローチャートである。
【図２Ａ】通常のパターンデータの例示図である。
【図２Ｂ】通常のパターンデータの認識方法により認識されたパターンデータ画像の例示図である。
【図３】本発明の実施の形態による移動通信端末のブロック構成図である。
【図４】本発明の実施の形態によりパターンデータから画像を認識する動作プロセスを示すフローチャートである。
【図５】本発明の実施の形態により認識されたパターンデータ画像の例示図である。
【図６】本発明の実施の形態によりＹデータ、Ｃｂデータを抽出する動作プロセスの詳細を示すフローチャートである。
【符号の説明】
【００２５】
２００  制御部
２０２  メモリ
２０４  キー入力部
２０６  表示部
２０８  ベースバンド処理部
２１２  コーデック
２１６  カメラ
２２０  パターンデータ認識部
【図１】
2006236316.tif 000005
【図３】
2006236316.tif 000006
【図４】
2006236316.tif 000007
【図６】
2006236316.tif 000008
【図２Ａ】
2006236316.tif 000009
【図２Ｂ】
2006236316.tif 000010
【図５】
2006236316.tif 000011